(57)【要約】【課題】過去に選局したチャンネル履歴情報とこれらの番組タイトルを画面に表示してユーザの選局を容易にする放送受信装置及び放送受信方法を提供する。【解決手段】複数チャンネルから一チャンネルを選局し、選局した放送信号を復調して復調信号を出力するチューナ部と、復調信号から電子番組情報を抽出する抽出部と、復調信号に基づく映像信号に、与えられるチャンネル履歴情報と番組タイトル情報に基づく映像信号を生成して重畳する重畳部と、チューナ部が選局したチャンネル履歴情報を記憶しておき、このチャンネル履歴情報に応じた番組タイトル情報を抽出部の電子番組情報から取り出し、チャンネル履歴情報と共に重畳部に供給する制御部をもつ放送受信装置。【選択図】図１
2008245174.tif 000002
【特許請求の範囲】
【請求項１】
複数チャンネルから一チャンネルを選局し、選局した放送信号を復調して復調信号を出力するチューナ部と、
前記チューナ部からの復調信号から電子番組情報を抽出する抽出部と、
前記復調信号に基づく映像信号に、与えられるチャンネル履歴情報と番組タイトル情報に基づく映像信号を生成して重畳する重畳部と、
前記チューナ部が選局したチャンネル履歴情報を記憶しておき、このチャンネル履歴情報に応じた番組タイトル情報を前記抽出部の電子番組情報から取り出し、前記チャンネル履歴情報と共に前記重畳部に供給する制御部と、
を具備することを特徴とする放送受信装置。
【請求項２】
前記重畳部からの前記復調信号に基づく映像と前記チャンネル履歴と前記番組タイトル情報の重畳映像を表示する表示部を更に有することを特徴とする請求項１記載の放送受信装置。
【請求項３】
前記制御部は、前記チャンネル履歴情報が示す複数チャンネルから一チャンネルを特定する操作信号がある場合、特定されたチャンネルを前記チューナ部に選局させることを特徴とする請求項１記載の放送受信装置。
【請求項４】
前記制御部は、前記複数チャンネルを示す重畳映像の上に表示されたカーソルが、移動後に所定時間を経過した場合、前記カーソルが特定しているチャンネルが選択されたものとみなすことを特徴とする請求項３記載の放送受信装置。
【請求項５】
前記チャンネル履歴情報は、予め設定された所定個数分だけ過去に遡ったチャンネル履歴情報であることを特徴とする請求項１記載の放送受信装置。
【請求項６】
前記制御部は、予め複数のチャンネルを設定し、この設定されたチャンネルのタイトル情報を前記抽出部の電子番組情報から取り出して前記重畳部に供給することを特徴とする請求項１記載の放送受信装置。
【請求項７】
前記制御部は、前記チューナ部が選局したチャンネル履歴情報と各チャンネルの映像情報とを各々記憶しておき、このチャンネル履歴情報に応じた番組タイトル情報を前記抽出部の電子番組情報から取り出し、各チャンネルの映像情報を一画面に合成し、各番組タイトル情報と前記チャンネル履歴情報と共に前記重畳部に供給することを特徴とする請求項１記載の放送受信装置。
【請求項８】
前記制御部は、前記チューナ部が選局したチャンネル履歴情報を記憶しておき、予め設定された文字数制限の範囲内で、このチャンネル履歴情報に応じた番組タイトル情報及びそれ以外の情報を前記抽出部の電子番組情報から取り出し、前記チャンネル履歴情報と共に前記重畳部に供給することを特徴とする請求項１記載の放送受信装置。
【請求項９】
前記制御部は、予め設定された文字サイズにおいて、前記チャンネル履歴情報及び番組タイトル情報に応じた映像を生成することを特徴とする請求項１記載の放送受信装置。
【請求項１０】
チューナを用いて、複数チャンネルから一チャンネルを選局し、
選局した放送信号を復調して復調信号を出力し、
前記復調信号から電子番組情報を抽出し、
前記チューナ部が選局したチャンネル履歴情報を記憶しておき、このチャンネル履歴情報に応じた番組タイトル情報を前記電子番組情報から取り出し、
前記チャンネル履歴情報と前記番組タイトル情報に基づく映像信号を生成して、前記復調信号に基づく映像信号に重畳して出力することを特徴とする放送受信方法。
【発明の詳細な説明】
【技術分野】
【０００１】
この発明は、過去に選局したチャンネルの履歴情報とこれらの番組タイトルを画面に表示する放送受信装置及び放送受信方法に関する。
【背景技術】
【０００２】
最近、周知のように地上波デジタル放送の開始に応じて地上波デジタル放送の普及が進んできており、従来のアナログ放送よりも高品質な映像を容易に視聴することが可能となっている。しかし、この地上波デジタル放送は、原理的に地上波デジタル放送信号からのＭＰＥＧパケットをデコード処理しなくてはならないため、チャンネル変更から画面再生まで数秒の処理時間がかかってしまう。従って、チャンネル切換え操作から実際に画面が変更するまでに１秒乃至数秒の時間がかかり、チャンネル切換えの際に何も写らない画面が表示される等、従来のアナログチューナのチャンネル切換えと比較すると画面のレスポンスの悪さが目立ってしまう。この結果、従来のアナログチューナのようにチャンネルを早く切換えながら自分の好みにあった番組を探すという操作を行なうことができない。
【０００３】
特許文献１は、これに対応するべく複数のチューナを用意して、チャンネル切換え操作があると、１台はチャンネル切換え前のチャンネルを選局し１台はチャンネル切換え後のチャンネルを選局する。これにより、再生待ちの画面を表示させないことで、チャンネル切換え時のレスポンスの悪さを目立たせなくするものである。
【特許文献１】特開２００５−４５５０８号公報
【発明の開示】
【発明が解決しようとする課題】
【０００４】
しかし、特許文献１の従来技術は、複数のチューナを用意しなければならずコスト高を免れえない。また、基本的にパケットのデコード処理時間は解消し得ないので、ユーザはアナログチューナでしていたようにチャンネルを素早く切換えながら各チャンネルの画面を短く見て自分の好みにあった番組を探すという操作を行なうことができない。
【０００５】
本発明は、過去に選局したチャンネル履歴情報とこれらの番組タイトルを画面に表示してユーザの選局を容易にする放送受信装置及び放送受信方法を提供することを目的とする。
【課題を解決するための手段】
【０００６】
課題を解決するための一実施形態は、
複数チャンネルから一チャンネルを選局し、選局した放送信号を復調して復調信号を出力するチューナ部（１２）と、
前記チューナ部からの復調信号から電子番組情報を抽出する抽出部（３６）と、
前記復調信号に基づく映像信号に、与えられるチャンネル履歴情報と番組タイトル情報に基づく映像信号を生成して重畳する重畳部（３４）と、
前記チューナ部が選局したチャンネル履歴情報を記憶しておき、このチャンネル履歴情報に応じた番組タイトル情報を前記抽出部の電子番組情報から取り出し、前記チャンネル履歴情報と共に前記重畳部に供給する制御部（３０）と、
を具備することを特徴とする放送受信装置である。
【発明の効果】
【０００７】
チャンネル切換えを行なうと各チャンネル履歴と各番組タイトルが画面表示されるので、地上波デジタル放送のようにパケットのデコードにより画面表示が遅くとも、先に確認したチャンネルが何番でどういう内容の番組だったかを推測することが容易になる。
【発明を実施するための最良の形態】
【０００８】
以下、この発明の実施の形態について図面を参照して詳細に説明する。
【０００９】
＜本発明の一実施形態に係る放送受信装置の一例＞
初めに、本発明の一実施形態に係る放送受信装置の一例を図面を用いて詳細に説明する。図１及び図２は、本発明の一実施形態に係る放送受信装置におけるチャンネル履歴表示画面の一例を示す説明図、図３は、本発明の一実施形態に係る放送受信装置の構成の一例を示すブロック図である。
【００１０】
本発明の一実施形態に係る放送受信装置においては、図１に示すようにチャンネル送りキー等でチャンネル切換え操作を行なう毎にチャンネル履歴情報が記憶され、各画面Ｄ１乃至Ｄ５において過去のチャンネル履歴情報が一定時間だけ画面表示される。ここで、例えば画面Ｄ５でリモコン等のキー操作によりこの履歴情報の一つ（２ｃｈ）をカーソル等で特定すると、このチャンネル（２ｃｈ）にチャンネルが変更するものである。
【００１１】
すなわち、チャンネル切換え時間がかかったとしても、チャンネル切換え毎に履歴情報が番組タイトルと共に画面表示されるので、ユーザは先に確認した番組が何チャンネルかを思い起こすことができるため、自分の好みにあった番組を探すことが容易になる。
【００１２】
なお、図１では、チャンネル送りキー（戻りキー）でのチャンネル切換え処理の場合を示しているが、図２ではチャンネル番号キーによるチャンネル切換え操作によっても、同様にチャンネル履歴及び番組タイトルを表示することを示すものである。
【００１３】
（放送受信装置の構成）
本発明の一実施形態であるデジタルテレビジョン装置等の放送受信装置の構成の一例を、以下に図面を用いて詳細に説明する。図３は、本発明の一実施形態に係る放送受信装置の構成の一例を示すブロック図である。なお、本発明の実施形態は、デジタルテレビジョン装置に限らず、地上波デジタル放送を受信する機能をもっている例えばハードディスクレコーダ等の記録再生装置であっても適用することができる。
【００１４】
放送受信装置１０は、図３に示すように一例としてテレビジョン装置であり、制御部３０は全体の動作を司るべくデータバスを介して各部に接続されている。放送受信装置１０は、再生側を構成するＭＰＥＧデコーダ部１６と、装置本体の動作を制御する制御部３０とを主たる構成要素としている。放送受信装置１０は、入力側のセレクタ部１４と出力側のセレクタ部１９とを有しており、入力側のセレクタ部１４には、ＬＡＮ等やメール機能をもった通信部１１と、ＢＳ／ＣＳ／地上波デジタルチューナ部１２と、ＢＳ／地上波アナログチューナ部１３が接続される。
【００１５】
放送受信装置１０は、更に、ＢＳ／ＣＳ／地上波デジタルチューナ部１２からの復調信号を一時格納するバッファ部１５と、格納された復調信号であるパケットを種類別に分離する分離部１７と、分離部１７から供給された映像音声用のパケットにＭＰＥＧデコード処理を施し映像音声信号を出力するＭＰＥＧデコーダ部１６と、操作情報等を映像信号に重畳するＯＳＤ（On Screen Display）重畳部３４を有している。放送受信装置１０は、更に、ＭＰＥＧデコーダ部１６からの音声信号に増幅処理等を施す音声処理部２０と、ＭＰＥＧデコーダ部１６及びＯＳＤ重畳部３４から映像信号を受けて、所望の映像処理を施す映像処理部１８と、音声信号及び映像信号の出力先を選択するセレクタ部１９と、音声処理部２０からの音声信号に応じて音声を出力するスピーカ部２１と、セレクタ部１９に接続されて与えられた映像信号に応じた映像を液晶表示画面等に表示する表示部２２と、外部装置との通信を行うＩ／Ｆ部２３を有する。
【００１６】
ここで、映像処理部１８は、インターレス信号をプログレッシブに変換するＩＰ変換部４１と、コアリング処理及びエンハンス処理を行なう画質処理部４２と、スケーリング処理を行なうスケーリング部４３と、映像信号のγ補正を行なうγ補正部４４を有している。
【００１７】
放送受信装置１０は、更に、ＢＳ／地上波アナログチューナ部１３からの映像情報等を適宜記録する記憶部３５と、放送信号等から電子番組情報を取得して画面表示等を行なう電子番組情報処理部３６を有しており、これらは、データバスを介して制御部３０に接続されている。放送受信装置１０は、更に、データバスを介して制御部３０に接続されユーザの操作やリモコンＲの操作を受ける操作部３２及び操作信号を表示する表示部３３を有している。ここで、リモコンＲは、放送受信装置１０の本体に設けられる操作部３２とほぼ同等の操作を可能とするものであり、チューナの操作等、各種設定が可能である。
【００１８】
このような構成をもった放送受信装置１０は、放送信号が受信アンテナから各チューナ部１２，１３に入力され、ここで選局が行われる。選局され復調されたパケット形式の復調信号は、分離部１７により、種類別のパケットに分離され、音声映像用パケットがＭＰＥＧデコーダ部１６等でデコード処理されて映像音声信号となって、音声処理部２０及び映像処理部１８に供給される。映像処理部１８は、与えられた映像信号について、ＩＰ変換部４１によりインターレス信号をプログレッシブに変換され、画質処理部４２ではコアリング処理及びエンハンス処理が施され、スケーリング部４３ではスケーリング処理が施され、γ補正部４４では、映像信号のγ補正が施された後に、セレクタ部１９に供給される。
【００１９】
セレクタ部１９は、制御部３０の制御信号に応じて例えば表示部２２に映像信号を供給し、これにより映像信号に応じた映像が表示部２２に表示される。また、音声処理部２０からの音声信号に応じた音声がスピーカ部２１から出力される。
【００２０】
また、ＯＳＤ重畳部３４では、後述するチャンネル履歴情報や番組タイトル情報等が放送信号に応じた映像信号に重畳され、映像処理部１８を経て、これに応じた映像が表示部２２に表示される。
【００２１】
＜本発明の一実施形態に係る放送受信装置のチャンネル履歴情報表示処理＞
次に、上述した構成をもつ放送受信装置１０におけるチャンネル履歴情報表示処理の一例を図４乃至図６のフローチャートを用いて詳細に説明する。図４は、本発明の一実施形態に係る放送受信装置のチャンネル履歴表示処理の一例を示すフローチャートである。図５は、同じくお好みチャンネル表示モードでのチャンネル表示処理の一例を示すフローチャート、図６は、同じく履歴画像一括表示を伴うチャンネル履歴表示処理の一例を示すフローチャートである。
【００２２】
なお、以下の図４乃至図６のフローチャートの各ステップは、回路ブロックに置き換えることができ、従って、各フローチャートのステップは、全てブロックに定義しなおすことが可能である。
【００２３】
（本発明の一実施形態の特徴がない場合のチャンネル選局）
初めに、本発明の一実施形態の特徴がない場合のチャンネル選局について、図１０及び図１１の図面を用いて説明する。図１０は、本発明の実施形態が示されていないチャンネル選択操作の実際を示す説明図である。図１１は、本発明の実施形態が示されていない電子番組表の表示画面の一例を示す説明図である。
【００２４】
すなわち、一般的な地上波デジタル放送のテレビジョン装置においては、図１０に示すように、チャンネル切換え操作に応じて画面Ｄ１１乃至Ｄ１５と切り換わって行くが、アナログチューナのように瞬時に画面が切り換わるのではなく、１秒乃至数秒の後に切り換わって行く。これは、地上波デジタル放送は、デジタルチューナの内部で一定量のパケット信号をデコードした後に画面表示される原理となっているためであり、プロセッサの処理速度が飛躍的に向上しない限り、従来のアナログチューナのように瞬時に画面を切換えながら番組を確認していくということができない。従って、画面Ｄ１５まで画面を切換えたユーザは、飛行機が示されている画面Ｄ１２に戻りたいと思っても、何チャンネルだったか思い出すことができず、チャンネル選びに困難を感じることとなる。
【００２５】
一方、ＥＰＧ（電子番組）情報を利用した番組選びを考えると、図１１に示すように、番組表の一部のみが詳しく表示される場合が多く、また、実際に各チャンネルの放送の画面を見るわけではないので、各チャンネルでどのような番組をやっているかを理解することは難しい。
【００２６】
（チャンネル履歴表示処理：図４）
次に、本発明の一実施形態である放送受信装置のチャンネル履歴表示処理を図４のフローチャートを用いて説明する。チャンネル履歴表示処理とは、図１及び図２に示すように、ユーザが過去に選択したチャンネル履歴に応じたチャンネル情報とその番組タイトルの複数セットを画面に表示する処理である。これにより、地上波デジタル放送のように画面表示に時間がかかる放送に対しても、ユーザは数チャンネルの画面を確認した後に、表示のチャンネルと番組タイトルを画面で参照することで、希望のチャンネルを容易に選局することができる。
【００２７】
本発明の一実施形態である放送受信装置のチャンネル履歴表示処理は、図４のフローチャートに示すように、制御部３０のチャンネル履歴制御部の動作により、リモコンＲや本体の操作部３２のチャンネルダイレクト選局キーまたはチャンネルアップダウンキーが押下されたことを検出すると（ステップＳ１１）、選択されたチャンネルにＢＳ／ＣＳ／地上波デジタルチューナ１２をチャンネル変更する（ステップＳ１２）。このとき、制御部３０のチャンネル履歴制御部は、チャンネル履歴表示モードが設定されているかどうかを判断する（ステップＳ１３）。
【００２８】
ここで、制御部３０のチャンネル履歴制御部は、図７に示すような設定画面を用意し、ユーザは、リモコンＲまたは操作部３２の操作によって、これらの設定を行なうことができる。図７は、本発明の一実施形態に係る放送受信装置のチャンネル履歴設定画面の一例を示す説明図である。
【００２９】
すなわち、図７において、ユーザは、『チャンネル履歴表示モード』と、『お好みチャンネル表示モード』と、『チャンネル履歴画面一括表示モード』とをそれぞれ設定することができる。ここでは、『チャンネル履歴表示モード』について説明を行なう。
【００３０】
『チャンネル履歴表示モード』について、図７に示すように、チャンネル履歴表示モードの『オン／オフ』を設定することができ、チャンネル履歴表示数を『Ｎ＝５』等のように設定することができる。
【００３１】
更に、表示するＥＰＧ情報からの文字情報に関して、『Ｍ＝１０文字以内』等のように文字数をリモコンＲ等から入力して設定する場合と、『タイトル情報のみ』の場合と、『ＥＰＧ情報全般』を表示する場合との内の一つを選択することができる。
【００３２】
更に、画面に表示された複数のチャンネル履歴から一つの『チャンネル履歴指定方法』に関して、『カーソル＋選択ボタン』により指定する場合と、『カーソル移動後３秒経過』により秒数をリモコンＲ等から入力して設定する場合との内の一つを選択することができる。
【００３３】
更に、『チャンネル履歴表示文字サイズ』について、『Ｑ＝１０』のように文字サイズをリモコンＲ等から入力して設定することができる。
【００３４】
このような図４の設定画面において、制御部３０のチャンネル履歴制御部は、『チャンネル履歴表示モード』がオフと設定されていれば処理を終了し、オンと設定されていれば、チャンネル履歴表示モードの設定情報をそれぞれ取得する（ステップＳ１４）。そして、制御部３０のチャンネル履歴制御部は、ユーザがリモコンＲ等で選択したチャンネル履歴情報を記憶部３５に記録する。そして、設定情報が示すＮ個の範囲でこのチャンネル履歴情報に応じて、電子番組情報処理部３６が地上波デジタル放送の放送信号等から取得した電子番組情報から該当チャンネルのタイトル情報を抽出する（ステップＳ１５）。
【００３５】
そして、制御部３０のチャンネル履歴制御部は、設定情報が示すＮ個の範囲でチャンネル履歴を画面表示するべく、チャンネル履歴と該当チャンネルのタイトル情報の画像情報をＯＳＤ重畳部３４により生成する。そして、チャンネル履歴情報と該当チャンネルのタイトル情報の画像情報をＭＰＥＧデコーダ部１６からの映像信号に重畳させることにより、表示部２２に図１または図２の画面Ｄ１乃至Ｄ５のように表示させる（ステップＳ１６）。
【００３６】
チャンネル履歴情報と該当チャンネルのタイトル情報を対象に、チャンネル履歴の一つがカーソル等により選択されると（ステップＳ１７）、制御部３０のチャンネル履歴制御部は、選択されたチャンネルにＢＳ／ＣＳ／地上波デジタルチューナ１２をチャンネル変更する（ステップＳ１８）。これにより、地上波デジタル放送のように画面表示に時間がかかる放送に対しても、ユーザは、数チャンネルの画面を確認した後に表示のチャンネルと番組タイトルを画面で参照することで、希望のチャンネルを容易に選局することができる。
【００３７】
（お好みチャンネル番組タイトル表示処理：図５）
次に、本発明の一実施形態である放送受信装置のお好みチャンネル番組タイトル表示処理を図５のフローチャートを用いて説明する。お好みチャンネル番組タイトル表示処理とは、図８に示すように、ユーザが図７の設定画面で任意に選択したチャンネルに応じたチャンネル情報とその番組タイトルの複数セットを画面に表示する処理である。これにより、地上波デジタル放送のように画面表示に時間がかかる放送に対しても、ユーザはいつも利用しているチャンネルの現在放送している番組タイトルを知ることができるので、番組タイトルから希望のチャンネルを判断して選局することができる。
【００３８】
なおここで、任意に選択したチャンネルを例えば地上波デジタル放送の受信可能チャンネルの全てに指定して、全チャンネルの番組タイトルを画面表示させることも好適である。
【００３９】
本発明の一実施形態である放送受信装置のチャンネル履歴表示処理は、図５のフローチャートに示すように、制御部３０のチャンネル履歴制御部の動作により、初めに、図７の設定画面において、お好みチャンネル表示モードがオンと設定されているかが判断される（ステップＳ２１）。
【００４０】
ここで、『お好みチャンネル設定』について説明を行なうと、図７に示すように、お好みチャンネル設定モードの『オン／オフ』を設定することができ、ユーザが番組タイトル等の表示を希望するお好みチャンネルを『ＣＨ＝４，６，７，８』等のようにリモコンＲ等から数値を入力して任意に設定することができる。ここで、地上波デジタル放送の受信可能な全チャンネルを設定することも可能である。
【００４１】
更に、表示するＥＰＧ情報からの文字情報に関して、『Ｍ＝１０文字以内』等のように文字数をリモコンＲ等から入力して設定する場合と、『タイトル情報のみ』の場合と、『ＥＰＧ情報全般』を表示する場合との内の一つを選択することができる。
【００４２】
更に、画面に表示された複数のチャンネル履歴から一つの『チャンネル指定方法』に関して、『カーソル＋選択ボタン』により指定する場合と、『カーソル移動後３秒経過』により秒数をリモコンＲ等から入力して設定する場合との内の一つを選択することができる。
【００４３】
更に、『チャンネル表示文字サイズ』について、『Ｑ＝１０』のように文字サイズをリモコンＲ等から入力して設定することができる。
【００４４】
このような図４の設定画面において、制御部３０のチャンネル履歴制御部は、『お好みチャンネル表示モード』がオフと設定されていれば処理を終了し、オンと設定されていれば、お好みチャンネル表示モードの設定情報をそれぞれ取得する（ステップＳ２３）。そして、制御部３０のチャンネル履歴制御部は、設定されているお好みチャンネルに応じて、電子番組情報処理部３６が地上波デジタル放送の放送信号等から取得した電子番組情報から該当チャンネルのタイトル情報を抽出する（ステップＳ２４）。
【００４５】
そして、制御部３０のチャンネル履歴制御部は、設定情報が示すお好みチャンネルに応じた番組タイトル情報を画面表示するべく、チャンネル情報と該当チャンネルのタイトル情報の画像情報をＯＳＤ重畳部３４により生成する。そして、チャンネル情報と該当チャンネルのタイトル情報の画像情報をＭＰＥＧデコーダ部１６からの映像信号に重畳させることにより、表示部２２に図８のように表示させる（ステップＳ２５）。
【００４６】
チャンネル情報と該当チャンネルのタイトル情報を対象に、チャンネル情報の一つがカーソル等により選択されると（ステップＳ２６）、制御部３０のチャンネル履歴制御部は、
ＢＳ／ＣＳ／地上波デジタルチューナ１２を選択されたチャンネルにチャンネル変更する（ステップＳ２７）。これにより、ユーザは、地上波デジタル放送のように画面表示に時間がかかる放送に対しても、お好みのチャンネルと番組タイトルを画面で参照することで、希望のチャンネルを容易に選局することができる。
【００４７】
（チャンネル履歴画面一括表示処理：図６）
次に、本発明の一実施形態である放送受信装置のチャンネル履歴画面一括表示処理を図６のフローチャートを用いて説明する。チャンネル履歴画面一括表示処理とは、図９に示すように、ユーザが過去に選択したチャンネル履歴に応じたチャンネル情報とその番組タイトルを伴う各チャンネルの合成画像を一括して表示する処理である。図９は、本発明の一実施形態に係る放送受信装置におけるチャンネル履歴画面一括表示処理を示す説明図である。
【００４８】
これにより、地上波デジタル放送のように画面表示に時間がかかる放送に対しても、ユーザは数チャンネルの画面を確認した後に、表示のチャンネルと番組タイトルと各チャンネルの合成画像を画面で参照することで、希望のチャンネルを容易に選局することができる。
【００４９】
本発明の一実施形態である放送受信装置のチャンネル履歴表示処理は、図６のフローチャートに示すように、制御部３０のチャンネル履歴制御部の動作により、チャンネル履歴画面一括表示モードが設定されているかどうかを判断する（ステップＳ３１）。
【００５０】
ここで、制御部３０のチャンネル履歴制御部は、図７に示すような設定画面を用意し、ユーザは、リモコンＲまたは操作部３２の操作によって、これらの設定を行なうことができる。すなわち、図７において、ユーザは『チャンネル履歴画面一括表示モード』を設定することができる。『チャンネル履歴画面一括表示モード』について、図７に示すように、チャンネル履歴画面一括表示モードの『オン／オフ』を設定することができ、チャンネル履歴表示数を『Ｎ＝４』等のように設定することができる。
【００５１】
更に、図示されていないが『チャンネル履歴表示モード』と同様に、表示するＥＰＧ情報からの文字情報に関して、『Ｍ＝１０文字以内』等のように文字数をリモコンＲ等から入力して設定する場合と、『タイトル情報のみ』の場合と、『ＥＰＧ情報全般』を表示する場合との内の一つを選択することが好適である。
【００５２】
更に、図示されていないが『チャンネル履歴表示モード』と同様に、画面に表示された複数のチャンネル履歴から一つの『チャンネル履歴指定方法』に関して、『カーソル＋選択ボタン』により指定する場合と、『カーソル移動後３秒経過』により秒数をリモコンＲ等から入力して設定する場合との内の一つを選択することが好適である。
【００５３】
更に、図示されていないが『チャンネル履歴表示モード』と同様に、『チャンネル履歴表示文字サイズ』について、『Ｑ＝１０』のように文字サイズをリモコンＲ等から入力して設定することが好適である。
【００５４】
このような図４の設定画面において、制御部３０のチャンネル履歴制御部は、『チャンネル履歴画面一括表示モード』がオフと設定されていれば処理を終了し、オンと設定されていれば、制御部３０のチャンネル履歴制御部は、リモコンＲや操作部３２等のチャンネル履歴画面一括表示モードの表示キーが押下されたかどうかを判断する（ステップＳ３２）。
【００５５】
制御部３０のチャンネル履歴制御部が、チャンネル履歴画面一括表示モードの表示キーの押下を確認すると、チャンネル履歴画面一括表示モードの設定情報をそれぞれ取得する（ステップＳ３３）。そして、制御部３０のチャンネル履歴制御部は、ユーザがリモコンＲ等で選択したチャンネル履歴情報を記憶部３５から収集する（ステップＳ３４）。
【００５６】
そして、制御部３０のチャンネル履歴制御部は、過去のチャンネル履歴のチャンネルにチューナが選局されている際に、各画像を記憶部３５に予め記憶しておく（ステップＳ３５）。そして、制御部３０のチャンネル履歴制御部は、各画像を記憶部３５から読み出し合成して一画面を生成し、ＯＳＤ重畳部３４に供給することで、表示部２２に図９に示すような画面として表示する（ステップＳ３６）。
【００５７】
その後、チャンネル履歴と該当チャンネルのタイトル情報を対象に、チャンネル履歴の一つがカーソル等により選択されると（ステップＳ３７）、制御部３０のチャンネル履歴制御部は、選択されたチャンネルにＢＳ／ＣＳ／地上波デジタルチューナ１２をチャンネル変更する（ステップＳ３８）。これにより、ユーザは、地上波デジタル放送のように画面表示に時間がかかる放送に対しても、数チャンネルの画面を確認した後に、表示のチャンネルと番組タイトル及び表示画面を参照することで、希望のチャンネルを容易に選局することが容易に可能となるものである。
【００５８】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５９】
【図１】本発明の一実施形態に係る放送受信装置におけるチャンネル履歴表示画面の一例を示す説明図。
【図２】本発明の一実施形態に係る放送受信装置におけるチャンネル履歴表示画面の他の一例を示す説明図。
【図３】本発明の一実施形態に係る放送受信装置の構成の一例を示すブロック図。
【図４】本発明の一実施形態に係る放送受信装置のチャンネル履歴表示処理の一例を示すフローチャート。
【図５】本発明の一実施形態に係る放送受信装置のチャンネル履歴表示処理の一例を示すフローチャート。
【図６】本発明の一実施形態に係る放送受信装置のチャンネル履歴表示処理の一例を示すフローチャート。
【図７】本発明の一実施形態に係る放送受信装置のチャンネル履歴設定画面の一例を示す説明図。
【図８】本発明の一実施形態に係る放送受信装置におけるチャンネル表示画面（嗜好チャンネル表示）の一例を示す説明図。
【図９】本発明の一実施形態に係る放送受信装置におけるチャンネル履歴画面一括表示処理を示す説明図である。
【図１０】本発明の実施形態が示されていないチャンネル選択操作の一例を示す説明図。
【図１１】本発明の実施形態が示されていない電子番組表の表示画面の一例を示す説明図。
【符号の説明】
【００６０】
１０…放送受信装置、１１…通信部、１２…ＢＳ／ＣＳ／地上波デジタルチューナ、１３…ＢＳ／地上波アナログチューナ、１４…セレクタ部、１５…バッファ部、１６…ＭＰＥＧデコーダ部、１７…分離部、１８…映像処理部、１９…セレクタ部、２０…音声処理部、２１…スピーカ部、２２…表示部、２３…Ｉ／Ｆ部、３０…制御部、３２…操作部、３３…表示部、３４…ＯＳＤ重畳部、３５…記憶部、３６…電子番組情報処理部。
【図１】
2008245174.tif 000003
【図２】
2008245174.tif 000004
【図３】
2008245174.tif 000005
【図４】
2008245174.tif 000006
【図５】
2008245174.tif 000007
【図６】
2008245174.tif 000008
【図７】
2008245174.tif 000009
【図８】
2008245174.tif 000010
【図９】
2008245174.tif 000011
【図１０】
2008245174.tif 000012
【図１１】
2008245174.tif 000013